(57)【要約】【課題】エレベータのガイドレールに変位が生じた場合に、レールブラケットを取り外すことなく、容易にその変位を調整・是正する。【解決手段】昇降路の壁面に固定された台座１０と、台座１０に設置された可動板１１と、可動板１１に設置されたレール固定部材（レールクリップ１１５）と、台座１０に回転軸を固定された位置決め部材（ジャッキボルト１２、１３、１４、１５）とを備え、エレベータのガイドレール２を固定するレールブラケット４に設置されたエレベータガイドレールの調整式固定装置において、位置決め部材によって可動板１１の位置を台座１０に対して調整可能とする。【選択図】図３
2013193857.tif 000002
【特許請求の範囲】
【請求項１】
昇降路の壁面に固定された台座と、この台座に設置された可動板と、この可動板に設置されたレール固定部材と、前記台座に回転軸を固定された位置決め部材とを備え、エレベータのガイドレールを固定するレールブラケットに設置された調整装置であって、前記可動板は、前記位置決め部材によってその位置を前記台座に対して調整可能としたことを特徴とするエレベータガイドレールの調整式固定装置。
【請求項２】
前記位置決め部材は、ジャッキボルトであることを特徴とする請求項１記載の調整式固定装置。
【請求項３】
前記位置決め部材は、歯車であることを特徴とする請求項１記載の調整式固定装置。
【請求項４】
請求項１〜３のいずれか一項に記載の調整式固定装置を備えたことを特徴とするエレベータシステム。
【発明の詳細な説明】
【技術分野】
【０００１】
本発明は、エレベータガイドレールの調整式固定装置及びこれを備えたエレベータシステムに関する。
【背景技術】
【０００２】
特許文献１には、低工数、低騒音で既存のエレベータガイドレール固定ブラケットの耐震強度を増し、地震に対して安全なエレベータを提供することを目的として、一対のガードレールのレールゲージ方向に補強材を追加する技術が記載されている。
【先行技術文献】
【特許文献】
【０００３】
【特許文献１】実開平４−５６１７９号公報
【発明の概要】
【発明が解決しようとする課題】
【０００４】
エレベータのガイドレールは、建屋昇降路に鉛直方向に沿って敷設される。
【０００５】
従来、ガイドレールを建屋に固定する方法として、レールブラケットと呼ばれる固定材を介して建屋コンクリート壁にレールブラケットをアンカーボルトで固定するか、または、建屋梁や建屋梁に取り付けられたファスナープレートにレールブラケットを溶接で固定している。乗りかごは、エレベータのガイドレールに沿って昇降するため、ガイドレールの据付精度は、エレベータの乗り心地に大きな影響を与える。レールブラケットを据付する際は、レールの芯出しを行ってからレールブラケットを建屋に固定するが、一度、レールブラケットを建屋昇降路壁またはファスナープレートと固定すると、レールブラケットを取り外す事は困難である。このため、レールブラケットの据付作業に多くの時間と労力を要している。レールが傾いて据え付いてしまった場合などは、一度、レールブラケットを取り外して再度ガイドレールおよびレールブラケットの据付を行わなければならないという問題点がある。
【０００６】
また、ガイドレールを据え付けた後（エレベーター可動後）に地震が発生した場合などは、乗りかごや つり合いおもりなどの昇降物がガイドレールに衝突し、エレベータのガイドレールに変位が発生してしまう場合がある。また、免震構造の建物などは、建物自体が地震や風などにより変位する場合もある。ガイドレールは、レールブラケットを介して建物に固定しているため、建物の変位に追従し、ガイドレール自体にも変位が生じてしまう。ガイドレールを建屋に強固に固定しても、建屋自体に変位が生じてしまった場合は、レールに変位が発生してしまう。
【０００７】
このガイドレールに生じた変位を是正するためには、先に述べたように、現在の構造では、一度、建屋とガイドレールとを切り離して是正する必要がある。このため、建屋にアンカーボルトや溶接で固定したレールブラケットを一度取り除き、再度、ガイドレールの芯出し作業を行い、新規レールブラケットを用いて建屋に再固定しなければならないという問題点がある。
【０００８】
特許文献１に記載されたエレベータガイドレール固定ブラケットの補強装置は、補強材が長尺であり、昇降路内の広い領域を占有するおそれがある。また、この文献の技術は、ガイドレール固定ブラケットを補強するものではあるが、ガイドレールの位置を調整可能とするものではない。
【０００９】
そこで、本発明の目的は、エレベータのガイドレールの据付に不具合が生じ、ガイドレールがずれて施工された場合や、地震や風などで建物の変位によりガイドレールに変位が生じた場合に、レールブラケットを取り外すことなく、容易にそのずれや変位を調整・是正し、元に戻すことを可能とすることにある。
【課題を解決するための手段】
【００１０】
本発明は、昇降路の壁面に固定された台座と、この台座に設置された可動板と、この可動板に設置されたレール固定部材と、台座に回転軸を固定された位置決め部材とを備え、エレベータのガイドレールを固定するレールブラケットに設置されたエレベータガイドレールの調整式固定装置において、可動板は、位置決め部材によってその位置を台座に対して調整可能としたことを特徴とする。
【発明の効果】
【００１１】
本発明によれば、エレベータのガイドレールの歪みの除去が容易となり、レールブラケットを取り外すことなく、エレベータシステムの安全な運行を確保することができる。
【図面の簡単な説明】
【００１２】
【図１】エレベータシステムの全体構成を示す斜視図である。
【図２】エレベータのガイドレールが変位した状態を示す斜視図である。
【図３】実施例のガイドレール調整式固定装置を示す平面図である。
【図４】実施例のガイドレール調整式固定装置を示す側面図である。
【図５】実施例のガイドレール調整式固定装置を示す正面図である。
【図６Ａ】他の実施例のガイドレール調整式固定装置を示す平面図である。
【図６Ｂ】図６ＡのＡ−Ａ断面図である。
【図７】変位したガイドレールとガイドレール調整式固定装置を用いて是正した後のガイドレールとを示す模式図である。
【発明を実施するための形態】
【００１３】
本発明は、昇降路の壁面に固定された台座と、この台座に設置された可動板と、この可動板に設置されたレール固定部材と、台座に回転軸を固定された位置決め部材とを備え、エレベータのガイドレールを固定するレールブラケットに設置されたエレベータガイドレールの調整式固定装置において、位置決め部材によって可動板の位置を台座に対して調整可能としたことを特徴とする。
【００１４】
これにより、ガイドレールの変位を容易に是正・調整可能とし、当該ガイドレールの調整式固定装置を備えたエレベータシステムの安全な運行を確保することができる。
【００１５】
以下、実施例について図面を用いて説明する。
【実施例１】
【００１６】
図１は、エレベータシステムの全体構成を示したものである。
【００１７】
本図において、エレベータシステムは、乗りかご６、乗りかご６を吊るワイヤロープ５１、つり合いおもり７、ワイヤロープ５１を巻き上げる巻上機８、制御部９等で構成され、昇降路１内に設置されている。
【００１８】
乗りかご６は、昇降路１に鉛直方向に敷設されたガイドレール２（かご側ガイドレール）に沿って昇降するようになっている。乗りかご６のガイドレール２は、レールブラケット４（かご側レールブラケット）と呼ばれる固定材を介して建屋コンクリート壁（昇降路１の内壁）にアンカーボルトで固定してある。あるいは、ガイドレール２は、建屋梁や建屋梁に取り付けられたファスナープレートに溶接で固定してある。
【００１９】
ここで、レールブラケット４は、複数個設けてあり、建屋コンクリート壁に鉛直方向の複数箇所でガイドレール２を固定してある。つり合いおもり７のガイドレール３（つり合いおもり側ガイドレール）も、同様に、レールブラケット５（つり合いおもり側レールブラケット）を介して固定してある。
【００２０】
地震が発生した場合、ガイドレール２、３には、乗りかご６及びつり合いおもり７が振動し、ガイドレール２、３に異常な力がかかる。この力によりガイドレール２、３に変位が生じる場合がある。また、建物が免震構造である場合、地震または風などにより建物が免震層を境として建物の上下で変位する。ガイドレール２、３は、レールブラケット４、５を介して建屋に固定されているため、この建物の変位に合わせて、ガイドレール２、３も変位してしまう。
【００２１】
図２は、エレベータのガイドレールが変位した状態を示す斜視図である。
【００２２】
本図においては、建物の上部及び下部の変位によってガイドレール２（エレベータガイドレール）が中央部で変形し、レールブラケット４も変位している。
【００２３】
本実施例においては、レールブラケット４に調整機能を持たせてあるため、上記のようなガイドレール２の変形及びレールブラケット４の変位を是正することができる。
【００２４】
図３〜５は、実施例のエレベータガイドレールの調整式固定装置の平面図、側面図及び正面図を示したものである。
【００２５】
図３に示すように、レールブラケット４はガイドレール調整式固定装置（エレベータガイドレールの調整式固定装置）を備えている。ガイドレール調整式固定装置は、台座１０、可動板１１、ジャッキボルト１２、１３、１４、１５、可動板固定ボルト１１４、レールクリップ１１５等で構成されている。台座１０は、昇降路の壁面にアンカで止めることにより、又は、昇降路の壁面のビームに溶接することにより固定されている。ガイドレール２は、レールブラケット４のレールクリップ１１５（レール固定部材）によって固定されている。
【００２６】
可動板１１は、台座１０に対して左右方向からジャッキボルト１２、１３によって、後方向からジャッキボルト１４、１５によって位置決めされ、可動板固定ボルト１１４によって台座１０に固定されている。ジャッキボルト１２、１３、１４、１５は、それらの回転軸を台座１０に固定され、それぞれを回転させること（締め付けることまたは緩めること）により出張り量を調整できるようになっている。言い換えると、可動板１１は、ジャッキボルト１２、１３、１４、１５によって台座１０に対して左右方向及び前後方向に移動可能としてある。なお、図３に示すように、ジャッキボルト１２、１３、１４は、その先端部で可動板１１の外表面を押すようになっている。一方、ジャッキボルト１５は、その先端部を可動板１１の内部に挿入してねじ込む形式のものであり、可動板１１引き込む機能を有する。
【００２７】
図４においては、可動板１１と可動板固定ボルト１１４との位置関係が明瞭に表されている。可動板固定ボルト１１４は、台座１０及び可動板１１を貫通し、これらを反対側のナットとともに締め付けて固定している。また、図５においては、レールクリップ１１５の形状及び位置が明瞭に表されている。レールクリップ１１５は、可動板１１にビス止めされている。
【００２８】
ガイドレール調整式固定装置の調整手順は次のとおりである。
【００２９】
まず、可動板１１を固定しているジャッキボルト１２、１３、１４、１５、可動板固定ボルト１１４及びレールクリップ１１５を緩める。つぎに、ガイドレール２の変形を是正する。その後、レールクリップ１１５を締め付けてガイドレール２を固定し、ジャッキボルト１２、１３、１４、１５を締め付けて可動板１１を固定し、可動板固定ボルト１１４によって可動板１１を台座１０に固定する。
【００３０】
上記の構成により、従来のようにガイドレール２とレールブラケット４とを溶接によって固定した構成に比べ、ガイドレール２の変形を修正することが容易になる。
【実施例２】
【００３１】
図６Ａは、実施例のガイドレール調整式固定装置の平面図を示したものである。また、図６Ｂは、図６ＡのＡ−Ａ断面図である。
【００３２】
図６Ａにおいて、レールブラケット４のガイドレール調整式固定装置は、台座１７の上に可動板１８ｂ及び可動板１８ａを下から順に重ねて設置してある。可動板１８ａ、１８ｂは、可動板固定ボルト２１４によって台座１７に固定されるようになっている。レールクリップ１１５は、可動板１８ａ又は１８ｂに取り付けてある。可動板１８ａ、１８ｂを台座１７に対して左右方向及び前後方向に移動するため、歯車１９ａ、１９ｂが設置してある。歯車１９ａ、１９ｂは、その回転軸を台座１７に固定してある。
【００３３】
図６Ｂに示すように、歯車１９ａは、可動板１８ａを台座１７に対して左右方向に移動可能とするものであり、歯車１９ｂは、可動板１８ｂを台座１７に対して前後方向に移動可能とするものである。
【００３４】
ガイドレール調整式固定装置の調整手順は次のとおりである。
【００３５】
まず、可動板１８ａ、１８ｂを固定している可動板固定ボルト２１４及びレールクリップ１１５を緩める。つぎに、ガイドレール２の変形を是正する。つぎに、歯車１９ａ、１９ｂを回転して可動板１８ａ、１８ｂを移動する。その後、レールクリップ１１５を締め付けてガイドレール２を固定し、可動板固定ボルト２１４によって可動板１８ａ、１８ｂを台座１７に固定する。
【００３６】
本実施例の構成によっても、従来のようにガイドレール２とレールブラケット４とを溶接によって固定した構成に比べ、ガイドレール２の変形を容易に修正することができる。
【００３７】
図７は、変位したガイドレールとガイドレール調整式固定装置を用いて是正した後のガイドレールとを示す模式図である。
【００３８】
本図においては、変位したガイドレール２’及びガイドレール調整式固定装置１６’を破線で表し、是正した後のガイドレール２及びガイドレール調整式固定装置１６を実線で表している。是正した後は、ガイドレール２の歪みがなくなり、エレベータシステムの安全な運行を確保することができる。
【００３９】
以上の実施例において用いたジャッキボルト及び歯車は、「位置決め部材」と総称することができる。位置決め部材としては、可動板の位置を調整可能なものであれば、他の方式を用いてもよい。位置決め部材に共通する構成は、台座に回転軸を固定されている点である。
【符号の説明】
【００４０】
１：昇降路、２、３：ガイドレール、４、５：ガイドレールブラケット、６：乗りかご、７：つり合いおもり、８：巻上機、９：制御部、１０、１７：台座、１１、１８ａ、１８ｂ：可動板、１２、１３、１４、１５：ジャッキボルト、１６：ガイドレール調整式固定装置、１９ａ、１９ｂ：歯車、１１４、２１４：可動板固定ボルト、１１５：レールクリップ。
【図１】
2013193857.tif 000003
【図２】
2013193857.tif 000004
【図３】
2013193857.tif 000005
【図４】
2013193857.tif 000006
【図５】
2013193857.tif 000007
【図６Ａ】
2013193857.tif 000008
【図６Ｂ】
2013193857.tif 000009
【図７】
2013193857.tif 000010